(57)【要約】      （修正有）【課題】複数色の合図色を表示する合図灯において、発光灯を切り替える場合に、操作がやり易くして誤動作の低減を図り、交通等の合図を安全に行える構造を有した合図灯を提供する。【解決手段】各色発光灯１ａ、1ｂ、1ｃ・・・に対応した切替のスイッチボタン２ａ、２ｂ、２ｃ・・・を設けると共に、何れのスイッチボタンも、そのオン操作で他のスイッチボタンに対応する発光灯の通電が強制解除されるようにする。さらに、各発光灯１ａ、１ｂ、１ｃ・・・に対応するスイッチボタン２ａ、２ｂ、２ｃ・・・を、多色合図灯の本体３のグリップ４のやや前方で、グリップ４を手で握った状態でいずれかの指先が届く範囲で本体１の軸周りにやや間隔を開けて配置しても良い。【選択図】図１
0003171929.tif 000002
【実用新案登録請求の範囲】
【請求項１】
複数色の合図色を表示する合図灯であって、各色発光灯１ａ、1ｂ、1ｃ・・・に対応した切替のスイッチボタン２ａ、２ｂ、２ｃ・・・を設けると共に、何れのスイッチボタンも、そのオン操作で他のスイッチボタンに対応する発光灯の通電が強制解除されるようにしたことを特徴とする多色合図灯。
【請求項２】
スイッチボタン２ａ、２ｂ、２ｃ・・・の表面の色を発光灯１ａ、1ｂ、1ｃ・・・の発光色に対応させたことを特徴とする請求項１に記載の多色合図灯。
【請求項３】
各発光灯１ａ、1ｂ、1ｃ・・・に対応するスイッチボタン２ａ、２ｂ、２ｃ・・・を、多色合図灯の本体３のグリップ４のやや前方で、グリップ４を手で握った状態でいずれかの指先が届く範囲で本体１の軸周りにやや間隔を開けて配置したことを特徴とする請求項１又は２のいずれかに記載の多色合図灯。
【考案の詳細な説明】
【技術分野】
【０００１】
本考案は、主として列車運行業務等において使用される合図灯の改良に関する。
【背景技術】
【０００２】
合図灯は、複数の合図色を切り替えて表示させるものであり、列車運行業務等における信号手段として用いられている。例えば、駅では、駅従業員が車掌に対してホームの状況を連絡するために用いている。また、列車には非常時に備えて合図灯が搭載されており、非常時には列車乗務員が他の列車等に合図を送るために用いている。
【０００３】
近年、白熱電球のみを用いた合図灯に代わり、ＬＥＤのみを用いた合図灯が開発されている。ＬＥＤのみを用いた合図灯としては、赤色ＬＥＤ、青色ＬＥＤ、白色ＬＥＤの３色のＬＥＤを散在配置し、電源電池から電流を供給し、各色ＬＥＤを切替点灯するようにした合図灯が知られている（例えば、特許文献１参照。）。
【０００４】
そして各色の発光灯への通電の切替は例えばスライドスイッチのような切替スイッチで行うのが一般的である。
【特許文献１】特開２０００−２１２０３号公報
【特許文献２】実用新案登録第３１１２７３６号公報
【考案の開示】
【考案が解決しようとする課題】
【０００５】
しかしながら切替スイッチは、一般に特許文献１に示されるように、本体の軸と平行な方向にスライドさせるものであることが多いため、グリップの一部に配置されることになり、グリップを握って操作する際に誤って触れて誤動作を起こす懸念があった。かと言って、スライドスイッチを軸と垂直な方向へスライドさせるようにすることも考えられるが、グリップを握った状態で、軸と垂直な方向への指操作は負担が掛かってやりにくく、殆んど採用されていないのが実情である。
【０００６】
本考案は、前記の問題点に鑑みてなされたものであって、その目的は、発光灯の発光色切替操作がやりやすい合図灯を提供することである。
【課題を解決するための手段】
【０００７】
前記目的を達成するため、請求項１に記載の考案では、複数色、好ましくは白色を含む３色以上の合図色を表示する合図灯であって、各色発光灯１ａ、1ｂ、1ｃ・・・に対応した切替のスイッチボタン２ａ、２ｂ、２ｃ・・・を設けると共に、何れのスイッチボタンも、そのオン操作で他のスイッチボタンに対応する発光灯の通電が強制解除されるようにしたことを特徴とするものである。
【０００８】
請求項２に記載の考案では、請求項１に記載の考案において、スイッチボタン２ａ、２ｂ、２ｃ・・・の色を発光灯１ａ、1ｂ、1ｃ・・・の色に対応させたことを特徴とするものである。
【０００９】
請求項３に記載の考案では、請求項１又は２において、各発光灯１ａ、1ｂ、1ｃ・・・に対応するスイッチボタン２ａ、２ｂ、２ｃ・・・を、多色合図灯の本体３のグリップ４のやや前方で、グリップ４を手で握った状態でいずれかの指先が届く範囲で本体１の軸周りにやや間隔を開けて配置したものである。
【００１０】
（作用）
請求項１に記載の考案では、例えば白色の発光灯１ａと、白色を除く他の合図色用の有色の発光灯1ｂ、1ｃ・・・を備えており、合図に対応したスイッチボタン２ａ、２ｂ、２ｃ・・・のうち白に対応したスイッチボタン２ａを押すと白色の発光灯１ａが発光し、もう一度押すと消える。また、他の色の発光灯が点灯している場合に同じ操作をすると、先に点灯していた他の色の発光灯は強制的に消灯され、押されたスイッチボタンに対応した発光灯の切替が優先される。これは他の色の発光灯とスイッチボタンの関係も同様である。
【００１１】
請求項２に記載の考案では、各色発光灯の色に対応して表面が着色されたスイッチボタンを操作することにより各合図色の発光灯を点灯及び消灯させる。
【００１２】
請求項３に記載の考案では、グリップを通常は親指を除く４本の指で握り、親指でいずれかのスイッチボタンを押し込むことにより、選択的にスイッチボタンに対応した各色の発光灯を発光させることができる。
【考案の効果】
【００１３】
以上詳述したように請求項１に記載の考案によれば、複数色の発光灯の操作を、その発光色に対応した色のスイッチボタンを押し込むことにより各色の切り替えを行うので、スライド切り替えのように、例えば赤からミドリの場合に白色を経由することなく、直接目的色に発光を切り替えることができ、しかも、どれかを発光させる際、他の色の発光灯は強制的に回路が遮断されるので、瞬間的な意図しない色の発光灯の点灯や、無灯火状態に陥ったりすることなく、操作者の意図が正確に反映され、また電池を使用する場合はその消耗も防止できる。
【００１４】
その発光灯の切り替えに当たり、スイッチボタンの表面の色をそれぞれ各発光灯の発光色に対応させておくと、視覚的に確認しながら操作を行えるので、文字などの表示を見る場合に比して、正確性並びに迅速性の向上が期待できる。スイッチボタンの着色は蛍光色としておくと夜間でも見易くなる。
【００１５】
更にそのスイッチボタンの配置を、グリップを握った際に、空いたいずれかの指（通常は親指）を横方向に移動させて押し込むことができるので、スライド操作のようにグリップを殆ど緩めることなく、簡単かつ確実、迅速に切り替え操作が行える。
【考案を実施するための最良の形態】
【００１６】
以下、本考案を具体化した実施形態について添付図により詳述する。図１は白、赤、緑（青）色の発光灯１ａ、１ｂ、１ｃを用いた三色合図灯の例を示すもので、本体３の前面のレンズ５内に配置される。配置は任意であるが、例えば中央に白色の発光灯１ａを配置し、その周囲に適宜間隔で複数ずつの赤色と緑色の発光灯１ｂ、１ｃが配置される。この発光灯はＬＥＤを採用することができるが、目的に応じて他の通常電球やクリプトン球も使用可能である。
【００１７】
本体３にはこれらの発光灯１ａ、1ｂ、1ｃの背部でスイッチボタン２ａ、２ｂ、２ｃと電気的に接続されるもので、本体３の後部に捻じ込みなどで接続される電池ケースを兼ねたグリップ４に収められる（充）電地６により給電される。グリップ４に収納された（充）電池６はネジ蓋７で固定される。８、９は回路に充電池４を接続するばねである。尚、充電池の場合、本体３を含む適所に充電回路に接続できる端子（図示せず）を施すことができる。
【００１８】
ここでスイッチボタン２ａ、２ｂ、２ｃは表面が発光灯１ａ、1ｂ、1ｃに対応した白、赤、緑色が施されている。そして好ましくは、本体３の軸周りの外周面に近接して、しかもグリップ４を握った状態で通常は親指が届く位置に配置される。また、白いスイッチボタン２ａは中央に配置されるが、形状は他のスイッチボタン２ｂ、２ｃよりやや大きくしたり、滑り止めや刻印等の他と区別できるものを施しておくこともできる。
【００１９】
ここでスイッチボタン２ａ、２ｂ、２ｃは、いずれかを押した場合、例えば図２の回路図のように、そのオン操作で他のスイッチボタンに対応する発光灯の通電が強制解除されるように設定される。即ち、いずれのスイッチも基本的にはオン・オフが交互に切り替わるものであるが、点滅動作を切替に加えることもできる。そして、点滅を含むオン状態では、他の発光灯と電源との間に並列的に挿入された常閉スイッチを強制的にオフとするように接続される。これらは簡単なマイコン回路を組み込むことによって行うこともできる。
【００２０】
例えば初期状態では、いずれの発光灯の回路も、スイッチボタンと直結のメインスイッチＭＳはオフ、常閉のサブスイッチＳＳはオン状態である。この状態ではいずれのスイッチボタンも押し動作を繰り返すと、自身のサブスイッチＳＳは閉を保ち、メインスイッチＭＳのみがオン・オフされる。この時、他のスイッチボタンに対応するサブスイッチＳＳは閉から強制的に開としてしまう。
そして他のスイッチボタンを操作すると、今度は今まで閉になって点灯していた発光灯のサブスイッチは強制的にオフされて消灯し、同時に後の発光灯のみが点灯する。いずれの色の発光灯も同じである。
【００２１】
具体的にスイッチボタン２ａをオンすると、白色の発光灯１ａが灯る。この時スイッチボタン２ａに対応したメインスイッチＭＳがオン、サブスイッチＳＳはオンであり、他の赤、緑色の発光灯１ｂ、１ｃのスイッチボタン２ｂ、２ｃに対応したサブスイッチＳＳはいずれも強制的にオフされていて、赤、緑色の発光灯１ｂ、１ｃは点灯しない。
【００２２】
この白色の発光灯１ａが点灯した状態で、いま赤のスイッチボタン２ｂを押すと、赤の発光灯１ｂのスイッチボタン２ｂに対応したメインスイッチＭＳがオン、サブスイッチＳＳがオフからオンとなり、同時に白のスイッチボタン２ａに対応したサブスイッチＳＳがオフされて、白の発光灯１ａが消え、赤の発光灯１ｂのみが点灯する。緑色のスイッチボタン２ｃを押すと、赤のスイッチボタン２ｂに対応したサブスイッチＳＳはオフになって赤の発光灯１ｂが消え、また白のスイッチボタン２ａに対応したサブスイッチＳＳはオフが継続されて白の発光灯１ａは消灯が維持され、緑の発光灯１ｃのみが点灯する。後はいずれのスイッチボタンを操作しても同様、スイッチボタンに対応した発光灯のみが選択的に点灯する。
【００２３】
合図色は３色でなくてもよく、２色や必要に応じて４色以上としてもよい。
【００２４】
（産業上の利用性）
本考案の安全灯は鉄道の駅等の色による発光合図灯として用いる他、道路などの夜間工事現場や、通常の懐中電灯などにも幅広く使用できる。
【図面の簡単な説明】
【００２５】
【図１】本考案の一実施例の概略分解斜視図。
【図２】同上の概略回路図である。
【符号の説明】
【００２６】
１ａ、１ｂ、１ｃ・・・は発光灯
２ａ、２ｂ、２ｃ・・・はスイッチボタン
３は本体
４はグリップ
【図１】
0003171929.tif 000003
【図２】
0003171929.tif 000004